(57)【要約】【課題】通気性及び吸湿性の良好な靴下を提供する。【解決手段】靴下１０Ａは、略袋状の布地である本体部１２を有し、該本体部１２は、足が挿入される開口部と、挿入された足の脚に本体部１２を固定して靴下１０Ａが前記足から容易に抜けないようにする口ゴム部と、前記足の前記脚を覆い隠すように密接する脚部と、前記足の踵２４と密接する踵部２６と、前記足の甲を覆い隠すように密接する甲部と、足の爪先３２を覆い隠すように密接する爪先部３４とを有する。そして、爪先部３４内側の表面３６から踵部２６に向けて、該爪先部３４の表面と一体化している４つの仕切り部３８が延在している。これにより、５つの指挿入部４０が爪先部３４に形成される。【選択図】図３
2005105463.tif 000002
【特許請求の範囲】
【請求項１】
略袋状の布地の内側に、足の各指を挿入する複数の指挿入部が形成された靴下において、
前記布地と同じ材料から構成され、且つ、前記布地の内側表面から延在する複数の仕切り部により前記布地の内側空間が仕切られて前記各指挿入部が形成される
ことを特徴とする靴下。
【請求項２】
請求項１記載の靴下において、
前記靴下は、ソックス、ストッキング又はパンティストッキングである
ことを特徴とする靴下。
【発明の詳細な説明】
【技術分野】
【０００１】
本発明は、内側に足の指を挿入する複数の指挿入部が形成された靴下に関する。
【背景技術】
【０００２】
従来から、水虫の予防又は治療の目的で、足の指を個別に挿入することのできる靴下が知られている（特許文献１、２参照）。
【０００３】
従来の靴下１００は、図８に示すように、靴下本体部１０２の先端部分に５つの独立した指挿入部１０４が形成され、該先端部分全体は被覆部１０６で覆われている。この場合、被覆部１０６は、縫い目１０８によって靴下本体部１０２に縫い付けられている。
【０００４】
また、従来の他の靴下２００は、図９に示すように、靴下本体部２０２の先端部分に５つの独立した指挿入部２０４が形成され、該靴下本体部２０２の底部２０６には、袋状の被覆部２０８における開口部分の一部が縫い付けられている。前記靴下２００を使用する際には、５つの指挿入部２０４に足の５つの指をそれぞれ挿入してから、該５つの指挿入部２０４全体を被覆部２０８で覆う。
【０００５】
【特許文献１】特開平９−２７３００４号公報
【特許文献２】特開平１１−２８６８０２号公報
【発明の開示】
【発明が解決しようとする課題】
【０００６】
通常、水虫は、足の指部及び各指の間において発生する場合が多い。従って、水虫の予防又は治療では、靴下のうち、前記足の指部及び前記各指の間に対向する部分の通気性又は吸湿性を良好にすることが望ましい。
【０００７】
しかしながら、図８及び図９に示す靴下１００、２００の場合、使用時において、指先周囲の布地は、指挿入部１０４、２０４と被覆部１０６、２０８との２層構造になっている。そのため、従来の靴下１００、２００では、足の指部及び各指の間における通気性及び吸湿性を十分に確保することが難しい。
【０００８】
また、靴下１００の使用時において、縫い目１０８は外部から確認可能である。一方、靴下２００の使用時において、被覆部２０８が指挿入部２０４を覆っていることも外部から容易に確認することができる。これにより、靴下１００、２００は水虫の予防又は治療用の靴下であることが、他人に容易に知られてしまい、使用者が靴下１００、２００の使用を敬遠するおそれがある。
【０００９】
また、靴下１００、２００のように、従来の水虫の予防又は治療用の靴下は、その全長が比較的短いソックスである。そのため、ソックスよりも全長が長い水虫の予防又は治療用のストッキングあるいはパンティストッキングは、未だに市場に流通していない。そのため、従来の靴下１００、２００の使用者は、男性が圧倒的に多く、女性の使用者は少ない。すなわち、ストッキングあるいはパンティストッキングを日常的に使用している女性にとり、従来の靴下１００、２００は顧客吸引力の低い商品である。
【００１０】
本発明はこのような課題を考慮してなされたものであり、足の指部及び各指の間における通気性及び吸湿性を確保することにより、水虫の予防又は治療にとり有用な靴下を提供することを目的とする。
【課題を解決するための手段】
【００１１】
本発明に係る靴下は、略袋状の布地の内側に、足の各指を挿入する複数の指挿入部が形成された靴下において、前記布地と同じ材料から構成され、且つ、前記布地の内側表面から延在する複数の仕切り部により、前記布地の内側空間が仕切られて、前記各指挿入部が形成されていることを特徴としている（請求項１）。
【００１２】
前記靴下では、布地の表面から仕切り部を延在させて前記指挿入部を形成するようにしているので、前記指挿入部に足の指を挿入すれば、前記仕切り部に各指の間の部分が対向するようになる。そのため、使用者の各指の周囲が蒸れたとしても、水分は迅速に吸収されると共に、前記指の周囲の通気性を確保することができる。また、前記布地と前記仕切り部とを同じ材料とすることにより、前記靴下の吸湿性及び通気性をより一層向上することができる。従って、水虫の予防又は治療に効果的な靴下を実現することができる。
【００１３】
また、前記指挿入部近傍を従来の２層構造の布地ではなく、１層構造の布地から構成することにより、他人が前記靴下を外側から観察しても、普通の靴下としか認識できないので、該他人は水虫の予防又は治療用の靴下であることを見抜くことは困難である。従って、顧客吸引力の高い靴下を実現できる。
【００１４】
この場合、上記した材料に通気性の材料又は吸湿性の材料を用いると、吸湿性及び通気性がより一層良好となる。このような材料には綿を用いることが好ましい。
【００１５】
そして、上記した靴下は、ソックス以外にも、ストッキング又はパンティストッキングに適用することができる（請求項２）。これにより、女性向けの靴下も市場に提供することが可能となり、前記靴下の顧客吸引力をさらに高めることができる。
【発明の効果】
【００１６】
本発明に係る靴下では、略袋状の布地の内側表面から複数の仕切り部を延在させて複数の指挿入部を形成し、前記複数の仕切り部と前記布地とを同じ材料から構成することにより、吸湿性及び通気性が良好で、水虫の予防又は治療に効果的な靴下を実現することができる。
【発明を実施するための最良の形態】
【００１７】
本発明に係る靴下の実施の形態（以下、本実施の形態に係る靴下という）を、図１〜図７を参照しながら説明する。
【００１８】
第１の実施の形態に係る靴下１０Ａは、図１に示すように、その全長が足１４と比較して比較的短いソックスであり、略袋状の布地である本体部１２を有する。
【００１９】
本体部１２は、図２及び図３に示すように、足１４が挿入される開口部１６と、挿入された足１４の脚１８に本体部１２を固定して靴下１０Ａが足１４から容易に抜けないようにする口ゴム部２０と、脚１８の下部に密接する脚部２２と、足１４の踵２４と密接する踵部２６と、足１４の甲２８を覆い隠すように密接する甲部３０と、足１４の爪先３２を覆い隠すように密接する爪先部３４とを有する。
【００２０】
また、本体部１２はその内側において、図３に示すように、本体部１２のうち、爪先部３４内側の表面３６から踵部２６に向けて、４つの仕切り部３８が延在している。
【００２１】
仕切り部３８は、爪先部３４の表面３６と一体化するようにして踵部２６に向けて延在している。この場合、本体部１２の布地の一部として形成してもよいし、本体部１２とは別の布地から形成し、該別の布地を表面３６に縫い合わせることにより、本体部１２と一体化してもよい。なお、本体部１２と仕切り部３８とは、公知の縫い合わせ方法で縫い合わせてもよい。いずれの方法であっても、縫い合わせた部分が靴下１０Ａの外部から確認できないようにして、表面３６と仕切り部３８とを一体化する。
【００２２】
これにより、５つの指挿入部４０が爪先部３４に形成される。この場合、各指挿入部４０の幅は、足１４の５つの指４２が５つの指挿入部４０にそれぞれ挿入できるような幅に設定される。また、指挿入部４０に対して、挿入されるべき指４２とは異なる指４２が挿入されないように、仕切り部３８の厚みを厚くしてもよい。
【００２３】
また、靴下１０Ａを構成する材料としては、通気性の良好な材料あるいは吸湿性の良好な材料を用いればよい。このような材料には綿がある。
【００２４】
なお、上述した靴下１０Ａは、公知の靴下の製造方法を用いて製造することができる。
【００２５】
第１の実施の形態に係る靴下１０Ａでは、爪先部３４内側の表面３６から４つの仕切り部３８を延在させて５つの指挿入部４０を形成し、該指挿入部４０に足１４の指４２を挿入すれば、仕切り部３８に各指４２の間の部分が対向するようになる。そのため、各指４２の周囲が蒸れたとしても、蒸れによって発生する水分を本体部１２及び仕切り部３８の布地が迅速に吸収すると共に、各指４２の周囲の通気性を確保することができる。これにより、水虫の予防又は治療に好適な靴下１０Ａを提供することが可能となる。
【００２６】
また、本体部１２と仕切り部３８とを同じ布地からなる材料とすることにより、靴下１０Ａの吸湿性及び通気性をより一層向上させることができ、水虫の予防又は治療の効果がさらに向上する。
【００２７】
また、指挿入部４０近傍を従来の２層構造ではなく、１層構造の爪先部３４から構成しているので、他人が靴下１０Ａを外部から観察しても、該靴下１０Ａは普通の靴下としか認識することができない。そのため、靴下１０Ａを水虫の予防又は治療の靴下であることを見抜くことは困難であり、従って、顧客吸引力の高い靴下１０Ａを実現することができる。
【００２８】
また、靴下１０Ａの材料に通気性の材料又は吸湿性の材料、特に綿を用いると、吸湿性及び通気性がより一層良好となる。
【００２９】
次に、第２の実施の形態に係る靴下１０Ｂについて、図４及び図５を参照しながら説明する。なお、図１〜図３で説明した第１の実施の形態に係る靴下１０Ａの構成要素と同様の構成要素については、同一の参照符号を付して説明する。
【００３０】
第２の実施の形態に係る靴下１０Ｂは、上述した第１の実施の形態に係る靴下１０Ａとほぼ同様の構成を有するが、図４及び図５に示すように、その全長が靴下１０Ａよりも長く、本体部１２及び仕切り部３８の厚みが靴下１０Ａよりも薄いストッキングである点で異なる。
【００３１】
第２の実施の形態に係る靴下１０Ｂにおいても、第１の実施の形態に係る靴下１０Ａと同様に、本体部１２内に５つの指挿入部４０が形成されているので、吸湿性及び通気性の良好なものとすることができる。特に、本体部１２及び仕切り部３８の厚みが薄いので、より良好な通気性を確保することができる。また、靴下１０Ｂはストッキングであるので、女性向けの靴下として市場に提供することが可能となり、顧客吸引力を高めることができる。
【００３２】
次に、第３の実施の形態に係る靴下１０Ｃについて、図６及び図７を参照しながら説明する。なお、図１〜図５で説明した第１及び第２の実施の形態に係る靴下１０Ａ、１０Ｂの構成要素と同様の構成要素については、同一の参照符号を付して説明する。
【００３３】
第３の実施の形態に係る靴下１０Ｃは、上述した第２の実施の形態に係る靴下１０Ｂとほぼ同様の構成を有するが、図６及び図７に示すように、人体の腰４４より下部を覆うパンティストッキングとした点で異なる。
【００３４】
第３の実施の形態に係る靴下１０Ｃにおいても、第２の実施の形態に係る靴下１０Ｂと同様に、本体部１２内に５つの指挿入部４０が形成されているので、吸湿性及び通気性の良好なものとすることができる。特に、本体部１２及び仕切り部３８の厚みが薄いので、より良好な通気性を確保することができる。また、靴下１０Ｃはパンティストッキングであるので、女性向けの靴下として市場に提供することが可能となると共に、女性の顧客吸引力を高めることができる。
【００３５】
なお、本発明に係る靴下は、上述の実施の形態に限らず、本発明の要旨を逸脱することなく、種々の構成を採り得ることはもちろんである。
【図面の簡単な説明】
【００３６】
【図１】第１の実施の形態に係る靴下を示す斜視図である。
【図２】図１の靴下を示す縦断面図である。
【図３】図１の靴下を示す横断面図である。
【図４】第２の実施の形態に係る靴下を示す斜視図である。
【図５】図４の靴下を示す横断面図である。
【図６】第３の実施の形態に係る靴下を示す斜視図である。
【図７】図６の靴下を示す横断面図である。
【図８】従来の靴下を示す斜視図である。
【図９】従来の他の靴下を示す斜視図である。
【符号の説明】
【００３７】
１０Ａ、１０Ｂ、１０Ｃ…靴下            １２…本体部
１４…足                                １６…開口部
１８…脚                                ２０…口ゴム部
２２…脚部                              ２４…踵
２６…踵部                              ２８…甲
３０…甲部                              ３２…爪先
３４…爪先部                            ３６…表面
３８…仕切り部                          ４０…指挿入部
４２…指                                ４４…腰
【図１】
2005105463.tif 000003
【図２】
2005105463.tif 000004
【図３】
2005105463.tif 000005
【図４】
2005105463.tif 000006
【図５】
2005105463.tif 000007
【図６】
2005105463.tif 000008
【図７】
2005105463.tif 000009
【図８】
2005105463.tif 000010
【図９】
2005105463.tif 000011